(57)【要約】【課題】  可撓性シートからなり、折り畳み可能で、立体にしたときに所定の強度を有し、オブジェや遊具に利用可能な、立体構造のブロックを提供する。【解決手段】  可撓性シートからなる立体構造のブロック（１ａ）を第１〜４の側面（２ａ１、２ａ２、…）からなる環状体と、環状体の２箇所の開口部に接続されている、四角錐状を呈する上蓋体（３ａ）と下蓋体（４ａ）とから構成する。第１〜４の側面（２ａ１、２ａ２、…）と上蓋体（３ａ）と下蓋体（４ａ）には切り抜きを空ける。環状体の開口部の大きさは、上蓋体（３ａ）と下蓋体（４ａ）のそれぞれの底面の大きさと異なる大きさにする。そうすると、環状体が上蓋体（３ａ）と下蓋体（４ａ）の底面の大きさに拘束されるので、環状体が内部に絞られるように変形する。この変形によって、テンションが生じて立体構造に強度が生じる。【選択図】図１
2011010785.tif 000002
【特許請求の範囲】
【請求項１】
下記の構成要件（Ａ０１〜Ａ１３）を備えた可撓性シートからなる立体構造のブロック、
要件Ａ０１：前記ブロックは、環状体と、前記環状体の上下に接続されている上蓋体と下蓋体とからなる、
要件Ａ０２：前記環状体は、ｎ面の第１〜ｎの側面からなり、第１の側面と第２の側面、第２の側面と第３の側面、…、第ｎの側面と第１の側面とが、それぞれ所定の山折り線によって接続されて形成されている、
要件Ａ０３：前記第１〜ｎの側面は、山折り線によって前記上蓋体と接続される上接続線分と、山折り線によって前記下蓋体と接続される下接続線分と、山折り線によって左隣の他の側面と接続される左接続線分と、山折り線によって右隣の他の側面と接続される右接続線分と、を備えている、
要件Ａ０４：前記第１〜ｎの側面には、中央に切り抜きが明けられている、または、中央近傍に入れられている所定長さの切れ目であって中央で互いに交差する少なくとも２本以上の切れ目が入れられている、
要件Ａ０５：前記第１〜ｎの側面には、縁から該切り抜きまたは該切れ目に達する第１〜４の谷折り線が設けられ、前記第１の谷折り線は前記左接続線分と前記上接続線分とを、前記第２の谷折り線は前記上接続線分と前記右接続線分とを、前記第３の谷折り線は前記右接続線分と前記下接続線分とを、前記第４の谷折り線は前記下接続線分と前記左接続線分とを、それぞれ分割するように設けられている、
要件Ａ０６：前記第１〜ｎの側面を、前記上接続線分と前記下接続線分と前記左接続線分と前記右接続線分で切断して平面状に広げると、前記第１の谷折り線と前記第３の谷折り線は同一延長線上に、前記第２の谷折り線と前記第４の谷折り線は同一延長線上にそれぞれ配置され、前記第１、２の谷折り線のそれぞれの延長線は前記側面の中央で交差する、
要件Ａ０７：前記第１〜ｎの側面の任意の側面において、前記第１の谷折り線と前記上接続線分のそれぞれの延長線の交点と、前記第４の谷折り線と前記下接続線分のそれぞれの延長線の交点と、前記第１の谷折り線と前記第４の谷折り線のそれぞれの延長線の交点と、からなる三角形は、前記左接続線分で接続される左隣の他の側面における、前記第２の谷折り線と前記上接続線分のそれぞれの延長線の交点と、前記第３の谷折り線と前記下接続線分のそれぞれの延長線の交点と、前記第２の谷折り線と前記第３の谷折り線のそれぞれの延長線の交点と、からなる三角形と合同である、
要件Ａ０８：前記第１〜ｎの側面の任意の側面において、前記第１の谷折り線と前記第４の谷折り線と前記左接続線分のそれぞれの延長線で形成される三角形は、前記左接続線分で接続される左隣の他の側面における、前記第２の谷折り線と前記第３の谷折り線と前記右接続線分のそれぞれの延長線で形成される三角形と合同である、
要件Ａ０９：前記第１〜ｎの側面において、前記第１の谷折り線と前記上接続線分のそれぞれの延長線の交点と、前記第４の谷折り線と前記下接続線分のそれぞれの延長線の交点と、前記第１の谷折り線と前記第４の谷折り線のそれぞれの延長線の交点と、からなる三角形は、前記第１の谷折り線と前記第４の谷折り線と前記左接続線分のそれぞれの延長線で形成される三角形と非合同である、
要件Ａ１０：前記上蓋体には、前記第１〜ｎの側面の前記上接続線分のそれぞれと山折り線で接続される、第１〜ｎの上蓋側接続線分が設けられている、
要件Ａ１１：前記上蓋体を、所定の一点である上蓋体仮想点から前記上蓋体の縁に達するｎ本の上蓋線分によって、前記第１〜ｎの上蓋側接続線分を互いに分割するように第１〜ｎの上蓋面に分割するとき、１〜ｎの任意の番号ｉに対して、第ｉの上蓋面における２本の前記上蓋線分と第ｉの上蓋側接続線分のそれぞれの延長線で形成される仮想的な三角形が、第ｉの側面における前記上接続線分と前記第１の谷折り線と前記第２の谷折り線のそれぞれの延長線で形成される仮想的な三角形と合同になるように、前記上蓋体仮想点を定めることができる、
要件Ａ１２：前記下蓋体には、前記第１〜ｎの側面の前記下接続線分のそれぞれと山折り線で接続される、第１〜ｎの下蓋側接続線分が設けられている、
要件Ａ１３：前記下蓋体を、所定の一点である下蓋体仮想点から前記下蓋体の縁に達するｎ本の下蓋線分によって、前記第１〜ｎの下蓋側接続線分を互いに分割するように第１〜ｎの下蓋面に分割するとき、１〜ｎの任意の番号ｊに対して、第ｊの下蓋面における２本の前記下蓋線分と第ｊの下蓋側接続線分のそれぞれの延長線で形成される仮想的な三角形が、第ｊの側面における前記下接続線分と前記第３の谷折り線と前記第４の谷折り線のそれぞれの延長線で形成される仮想的な三角形と合同になるように、前記下蓋体仮想点を定めることができる。
【請求項２】
請求項１に記載のブロックにおいて、前記上蓋体と前記下蓋体は、平面状を呈することを特徴とする、立体構造のブロック。
【請求項３】
請求項１に記載のブロックにおいて、下記の構成要件（Ａ１４〜Ａ１８）を備えた立体構造のブロック、
要件Ａ１４：前記第１〜ｎの側面の枚数は偶数からなる、
要件Ａ１５：前記上蓋体において、前記第１〜ｎの上蓋側接続線分のそれぞれの延長線からなる図形は、正多角形を呈する、
要件Ａ１６：前記上蓋体には、ｎ本の谷折り線が設けられ、前記ｎ本の谷折り線のそれぞれは、前記要件Ａ１１における前記ｎ本の上蓋線分に対応する、
要件Ａ１７：前記下蓋体において、前記第１〜ｎの下蓋側接続線分のそれぞれの延長線からなる図形は、正多角形を呈する、
要件Ａ１８：前記下蓋体には、ｎ本の谷折り線が設けられ、前記ｎ本の谷折り線のそれぞれは、前記要件Ａ１３における前記ｎ本の下蓋線分上に対応する。
【請求項４】
請求項１〜３のいずれかの項に記載のブロックにおいて、前記第１〜ｎの側面の前記上接続線分と、前記下接続線分と、前記左接続線分と、前記右接続線分には、環状磁石（Ｍ、Ｍ、…）が設けられていることを特徴とする立体構造のブロック。
【発明の詳細な説明】
【技術分野】
【０００１】
本発明は、室内装飾用のオブジェ、または遊具として利用可能な、可撓性シートからなる立体構造のブロックに関するものである。
【背景技術】
【０００２】
美観を生じさせる置物、いわゆるオブジェは色々な場所に置かれて人々の目を楽しませている。このようなオブジェには、ブロンズやガラス等から形成され、屋外に設置されるような比較的大型で重量のあるものもあれば、棚や卓上に置いて楽しむことのできる比較的小型で軽量のものもある。ペーパークラフト、折り紙等のように、紙や樹脂のシートからなる立体構造のオブジェは、比較的小型で軽量な上安価であるので人気を博している。このような、紙や樹脂のシートからなる立体構造のオブジェは、幾何学的な構造に形成されていたり彩色を施されたりしているので単独でも充分に美観を生じさせる。また、帆掛け舟またはだまし舟として広く知られている折り紙のように、形状を変化させることができれば直接手に取って、形状の変化を楽しむこともできる。さらに、オブジェがブロック状に形成されていれば、複数個のブロックを組み合わせて互いに連結できるので、全体として新たなオブジェを作ることもできるし、ブロック遊具として楽しむことも可能である。
【先行技術文献】
【特許文献】
【０００３】
【特許文献１】特開２００５−５８６３１号公報
【０００４】
特許文献１には、ポリ塩化ビニル、プラスチック、厚紙等の可撓性シートからなり他のブロックと自由に結合できるブロック遊具が記載されている。特許文献１に記載のブロック遊具は、可撓性シートからなる２個の筒状立方体をユニットとするブロック遊具であって、一方の筒状立方体の所定の辺と他方の筒状立方体の所定の辺とが、連結部において蝶番状に屈曲できるように粘着テープで連結されている。特許文献１に記載のブロック遊具は、複数のブロックを連結することができるので、容易に複雑な形状を作り出すことができる。
【発明の概要】
【発明が解決しようとする課題】
【０００５】
特許文献１に記載のブロック遊具は、個々のブロックがシンプルな構造であるにも拘わらず、複数のブロックを組み合わせれば容易に色々な形状を作り出せるので、遊具として楽しめるし、組み合わされた複数のブロックはオブジェとして棚等に置いて室内を装飾することも可能である。さらには、ポリ塩化ビニル、プラスチック、厚紙等の可撓性シートから構成されているので、安価に提供できる利点もある。しかしながら、改良すべき問題点も見受けられる。例えば、特許文献１に記載のブロック遊具は、複数のブロックを組み合わせることを前提として提供されているので、単体のブロックだけでは形状に面白みはない。すなわち、単なる２個の筒状立方体に過ぎないので、単体のブロックだけではオブジェとしての美観は充分とは言えない。また、単体のブロックは、粘着テープによる連結部が蝶番状に屈曲するので形状を変化させることはできるが、その変化は予想の範囲内に留まり意外性はない。従って、折り紙の帆掛け舟等のように直接手にとって形状の変化を楽しむことはできない。さらには、収納や運搬時の問題も認められる。すなわち、遊びを終了して多数のブロックに分解するとき、そのままでは嵩張ってしまい収納用に大型の箱を要する。従って、運搬も容易ではない。特許文献１に記載のブロック遊具は、可撓性シートから筒状立方体に形成されているので、収納や運搬時の問題点を解決するために押しつぶして平面状にすることも考えられる。しかしながら、このようにすると折り癖が付いてしまい、ブロック遊具は元の立体の形状に戻りにくくなってしまう。また、構造に格別の考慮が払われていないので、立体にしたときの強度も充分に得られない。複数のブロックを結合するときの問題もある。特許文献１に記載のブロック遊具は、筒状の立方体に他の筒状の立方体が挿入されて結合されるようになっているが、挿入時に可撓性シートがたわんでしまい筒状立方体が変形していまう。さらには、経年劣化によって立方体の変形が大きくなってくると、結合されにくくなる。
【０００６】
本発明は、上記したような従来の問題点あるいは課題を解決した、装飾用のオブジェや遊具として適用可能な、可撓性シートからなる立体構造のブロックを提供することを目的とし、具体的には安価でありながら、ブロック単体でも美観を生じさせ、収納時や運搬時には嵩張らないように平面状に折り畳んで形状を変化させることができ、立体構造と平面状との双方向の形状の変化も楽しむことができると共に、立体構造にしたときにも所定の強度を有するブロックを提供することを目的としている。また、本発明の他の目的は、ブロックを複数個組み合わせるとき、容易にブロックを結合することができる、可撓性シートからなるブロックを提供することを目的としている。
【課題を解決するための手段】
【０００７】
請求項１に記載の発明は、上記目的を達成するために、以下のように構成される。下記の構成要件（Ａ０１〜Ａ１３）を備えた可撓性シートからなる立体構造のブロック、
要件Ａ０１：前記ブロックは、環状体と、前記環状体の上下に接続されている上蓋体と下蓋体とからなる、
要件Ａ０２：前記環状体は、ｎ面の第１〜ｎの側面からなり、第１の側面と第２の側面、第２の側面と第３の側面、…、第ｎの側面と第１の側面とが、それぞれ所定の山折り線によって接続されて形成されている、
要件Ａ０３：前記第１〜ｎの側面は、山折り線によって前記上蓋体と接続される上接続線分と、山折り線によって前記下蓋体と接続される下接続線分と、山折り線によって左隣の他の側面と接続される左接続線分と、山折り線によって右隣の他の側面と接続される右接続線分と、を備えている、
要件Ａ０４：前記第１〜ｎの側面には、中央に切り抜きが明けられている、または、中央近傍に入れられている所定長さの切れ目であって中央で互いに交差する少なくとも２本以上の切れ目が入れられている、
要件Ａ０５：前記第１〜ｎの側面には、縁から該切り抜きまたは該切れ目に達する第１〜４の谷折り線が設けられ、前記第１の谷折り線は前記左接続線分と前記上接続線分とを、前記第２の谷折り線は前記上接続線分と前記右接続線分とを、前記第３の谷折り線は前記右接続線分と前記下接続線分とを、前記第４の谷折り線は前記下接続線分と前記左接続線分とを、それぞれ分割するように設けられている、
要件Ａ０６：前記第１〜ｎの側面を、前記上接続線分と前記下接続線分と前記左接続線分と前記右接続線分で切断して平面状に広げると、前記第１の谷折り線と前記第３の谷折り線は同一延長線上に、前記第２の谷折り線と前記第４の谷折り線は同一延長線上にそれぞれ配置され、前記第１、２の谷折り線のそれぞれの延長線は前記側面の中央で交差する、
要件Ａ０７：前記第１〜ｎの側面の任意の側面において、前記第１の谷折り線と前記上接続線分のそれぞれの延長線の交点と、前記第４の谷折り線と前記下接続線分のそれぞれの延長線の交点と、前記第１の谷折り線と前記第４の谷折り線のそれぞれの延長線の交点と、からなる三角形は、前記左接続線分で接続される左隣の他の側面における、前記第２の谷折り線と前記上接続線分のそれぞれの延長線の交点と、前記第３の谷折り線と前記下接続線分のそれぞれの延長線の交点と、前記第２の谷折り線と前記第３の谷折り線のそれぞれの延長線の交点と、からなる三角形と合同である、
要件Ａ０８：前記第１〜ｎの側面の任意の側面において、前記第１の谷折り線と前記第４の谷折り線と前記左接続線分のそれぞれの延長線で形成される三角形は、前記左接続線分で接続される左隣の他の側面における、前記第２の谷折り線と前記第３の谷折り線と前記右接続線分のそれぞれの延長線で形成される三角形と合同である、
要件Ａ０９：前記第１〜ｎの側面において、前記第１の谷折り線と前記上接続線分のそれぞれの延長線の交点と、前記第４の谷折り線と前記下接続線分のそれぞれの延長線の交点と、前記第１の谷折り線と前記第４の谷折り線のそれぞれの延長線の交点と、からなる三角形は、前記第１の谷折り線と前記第４の谷折り線と前記左接続線分のそれぞれの延長線で形成される三角形と非合同である、
要件Ａ１０：前記上蓋体には、前記第１〜ｎの側面の前記上接続線分のそれぞれと山折り線で接続される、第１〜ｎの上蓋側接続線分が設けられている、
要件Ａ１１：前記上蓋体を、所定の一点である上蓋体仮想点から前記上蓋体の縁に達するｎ本の上蓋線分によって、前記第１〜ｎの上蓋側接続線分を互いに分割するように第１〜ｎの上蓋面に分割するとき、任意の番号ｐについて、第ｐの上蓋面における２本の前記上蓋線分と第ｐの上蓋側接続線分のそれぞれの延長線で形成される仮想的な三角形が、第ｐの側面における前記上接続線分と前記第１の谷折り線と前記第２の谷折り線のそれぞれの延長線で形成される仮想的な三角形と合同になるように、前記上蓋体仮想点を定めることができる、
要件Ａ１２：前記下蓋体には、前記第１〜ｎの側面の前記下接続線分のそれぞれと山折り線で接続される、第１〜ｎの下蓋側接続線分が設けられている、
要件Ａ１３：前記下蓋体を、所定の一点である下蓋体仮想点から前記下蓋体の縁に達するｎ本の下蓋線分によって、前記第１〜ｎの下蓋側接続線分を互いに分割するように第１〜ｎの下蓋面に分割するとき、任意の番号ｐについて、第ｐの下蓋面における２本の前記下蓋線分と第ｐの下蓋側接続線分のそれぞれの延長線で形成される仮想的な三角形が、第ｐの側面における前記下接続線分と前記第３の谷折り線と前記第４の谷折り線のそれぞれの延長線で形成される仮想的な三角形と合同になるように、前記下蓋体仮想点を定めることができる。
【０００８】
請求項２に記載の発明は、請求項１に記載のブロックにおいて、前記上蓋体と前記下蓋体は、平面状を呈するように構成される。そして、請求項３に記載の発明は以下のように構成される。すなわち、請求項１に記載のブロックにおいて、下記の構成要件（Ａ１４〜Ａ１８）を備えた立体構造のブロック、
要件Ａ１４：前記第１〜ｎの側面の枚数は偶数からなる、
要件Ａ１５：前記上蓋体において、前記第１〜ｎの上蓋側接続線分のそれぞれの延長線からなる図形は、正多角形を呈する、
要件Ａ１６：前記上蓋体には、ｎ本の谷折り線が設けられ、前記ｎ本の谷折り線のそれぞれは、前記要件Ａ１１における前記ｎ本の上蓋線分に対応する、
要件Ａ１７：前記下蓋体において、前記第１〜ｎの下蓋側接続線分のそれぞれの延長線からなる図形は、正多角形を呈する、
要件Ａ１８：前記下蓋体には、ｎ本の谷折り線が設けられ、前記ｎ本の谷折り線のそれぞれは、前記要件Ａ１３における前記ｎ本の下蓋線分上に対応する。
さらに、請求項４に記載の発明は、請求項１〜３のいずれかの項に記載のブロックにおいて、前記第１〜ｎの側面の前記上接続線分と、前記下接続線分と、前記左接続線分と、前記右接続線分には、環状磁石（Ｍ、Ｍ、…）が設けられるように構成される。
【発明の効果】
【０００９】
以上のように構成されているので、請求項１に記載の発明に係るブロックは、発明を実施するための最良の形態の項で詳しく説明するように、平面状に折り畳むことができる。従って、ブロックは立体構造から平面状に、平面状から立体構造に構造を変化させることができるので、形状の変化を楽しむことができる。そして、平面状に折り畳めるので、収納や運搬時にはブロックが嵩張ることもない。さらには、ブロックが立体構造になったとき、後で詳しく説明するようにブロックの側面にテンションが生じてブロックには所定の強度が与えられるようになっている。従って、比較的柔らかいシートから構成されていても、立体の形状が変形して容易につぶれてしまうことはないし、複数のブロックを重ね合わせても、ブロックが押しつぶされることもない。また、ブロックを構成する側面には所定の切り抜きが明けられていると共に、谷折り線が複数設けられているので、幾何学的に美しい。従って、単独でもオブジェとして利用できる。さらには、可撓性シートからなるので、ブロックは、紙や樹脂シート等の安価な材料から製造できる。そして、請求項２に記載の発明によると、上蓋体と下蓋体は平面状を呈しているので、ブロックを折り畳むときに、上蓋体と下蓋体が平面状態を維持した状態で折り畳むことができる。また、請求項３に記載の発明に係るブロックは、上蓋体と下蓋体には谷折り線が設けられているので、ブロックを平面状に折り畳むときに上蓋体と下蓋体を二つ折りすることができる。さらには、請求項４に記載の発明によると、ブロックの側面と上蓋体と下蓋体の各接続線分には環状磁石が設けられているので、磁石の磁力によって複数のブロックを容易に接続することができ、ブロック遊具として楽しむことができる。
【図面の簡単な説明】
【００１０】
【図１】本発明の第１の実施の形態に係るブロックを示す斜視図である。
【図２】本発明の第１の実施の形態に係るブロックを分割して得られた４個の分割体のうち第１の分割体を平面状に展開した第１の平面状シートの平面図である。
【図３】本発明の第１の実施の形態に係るブロックを製造するためのシートを示す平面図である。
【図４】本発明の第１の実施の形態に係るブロックについて、立体構造から平面状に折り畳む様子を模式的に示す図で、その（ア）〜（エ）はブロックの各状態を示す斜視図である。
【図５】所定の辺に環状磁石が設けられた、本実施の形態に係るブロックを示す図で、その（ア）はブロックの斜視図、その（イ）、（ウ）は環状磁石をブロックの辺に取り付けた状態を模式的に示す図、そしてその（エ）は複数のブロックが結合されている状態を示す斜視図である。
【図６】本発明の第２の実施の形態に係るブロックを示す斜視図である。
【図７】本発明の第２の実施の形態に係るブロックを分割して得られた６個の分割体のうち第１の分割体を平面状に展開した第１の平面状シートの平面図である。
【図８】本発明の第２の実施の形態に係るブロックを製造するためのシートを示す平面図である。
【図９】本発明の第２の実施の形態に係るブロックについて、立体構造から平面状に折り畳む様子を模式的に示す図で、その（ア）〜（ウ）はブロックの各状態を示す斜視図である。
【図１０】本発明の第３の実施の形態に係るブロックを示す斜視図である。
【図１１】本発明の第３の実施の形態に係るブロックを製造するためのシートを示す平面図である。
【図１２】本発明の第３の実施の形態に係るブロックを分割して得られた５個の分割体のうち第１の分割体を平面状に展開した第１の平面状シートの平面図である。
【図１３】本発明の第３の実施の形態に係るブロックについて、立体構造から平面状に折り畳む様子を模式的に示す図で、その（ア）〜（ウ）はブロックの各状態を示す斜視図である。
【図１４】本発明の第４の実施の形態に係るブロックを示す斜視図である。
【図１５】本発明の第４の実施の形態に係るブロックを製造するためのシートを示す平面図である。
【図１６】本発明の第４の実施の形態に係るブロックを分割して得られた分割体を平面状に展開した図であり、その（ア）〜（オ）はそれぞれ第１〜５の分割体を平面状に展開した第１〜５の平面状シートの平面図である。
【発明を実施するための形態】
【００１１】
以下、本発明の複数の実施形態について順に説明するが、部材や構成要素に付する符号については、次のルールに基づいて決定されている。符号は、ユニークな数字からなる部材番号と、部材番号の後ろに付される英文字であって実施の形態の連番を表す１文字の英文字と、その後ろに適宜付される要素番号とからなる。部材番号は、部材毎に付与されるユニークな数字である。部材番号の後ろに付される１文字の英文字は、第１の実施の形態においては「ａ」が、第２の実施の形態においては「ｂ」が、以下、第３、４の実施の形態においては「ｃ」、「ｄ」が、それぞれ与えられている。要素番号は、同等の部材が複数個設けられている場合に、これら１個ずつの部材、すなわち要素に付される連番である。例えば、第３の実施の形態において、部材番号「１８」の部材が複数個ある場合に、第５の部材、もしくは第５の要素に対して符号「１８ｃ５」が付されることになる。部材が１個のみのときや、説明上要素番号を付して区別する必要がない場合は、要素番号は省略され、符号「２８ｂ」等が付されることになる。
【００１２】
本発明の第１の実施の形態について説明する。第１の実施の形態に係るブロック１ａは、図１の斜視図に示されているように、概略的に底面が正方形の直方体状を呈している。ブロック１ａは、中央が長方形に切り抜かれた第１〜４の側面２ａ１、２ａ２、２ａ３、２ａ４と、中央が切り抜かれた上面、すなわち上蓋体３ａと、同様に中央が切り抜かれた底面、すなわち下蓋体４ａとから構成され、ポリ塩化ビニル、ポリプロピレン、ポリスチレン等の合成樹脂、紙等の可撓性シートからなる。そして、直方体の８個の頂点５ａ、５ａ、…近傍は、所定の大きさに切り抜かれている。
【００１３】
ブロック１ａにおいて、隣り合う２面の側面２ａ１、２ａ２、…同士を互いに接続している山折り線、すなわち接続線分７ａ、７ａ、…を切断する。そして、上蓋体３ａに設けられている４本の谷折り線８ａ、８ａ、…を切断し、同様に下蓋体４ａに設けられている４本の谷折り線９ａ、９ａ、…を切断して、得られた４個の分割体を平面状に広げる。そうすると、そのような１枚のシートが図２に示されているように、４枚のシート、第１〜４の平面状シート１１ａ１、１１ａ２、…が得られる。第１〜４の平面状シート１１ａ１、１１ａ２、…は合同であり、１枚の平面状シートについて説明すれば他の平面状シートについても同様に理解可能である。以下、第１の平面状シート１１ａ１について説明するが、第２〜４の平面状シート１１ａ２、１１ａ３、１１ａ４については、第１の平面状シート１１ａ１において付されている符号において、要素番号「１」がそれぞれ「２」、「３」、「４」に置き換えられた符号が付されるものとする。
【００１４】
第１の平面状シート１１ａ１は、第１の側面２ａ１と、上蓋体３ａの一部すなわち第１の上蓋面１２ａ１と、下蓋体４ａの一部すなわち第１の下蓋面１３ａ１とからなる。第１の側面２ａ１は、４個の頂点近傍が円弧状に切り取られた長方形状を呈している。長方形の左辺、すわなち第１の側面２ａ１の左端の縁は、図示されていない第４の側面２ａ４と山折り線で接続されるいわゆる左接続線分１５ａ１になっており、長方形の右辺、すなわち右端の縁は、図示されていない第２の側面２ａ２と山折り線で接続されるいわゆる右接続線分１６ａ１になっている。長方形の上辺は、第１の上蓋面１２ａ１と山折り線で接続される上接続線分１７ａ１になっており、下辺は第１の下蓋面１３ａ１と山折り線で接続される下接続線分１８ａ１になっている。本明細書においては、上接続線分１７ａ１と下接続線分１８ａ１のことを、それぞれ第１の上蓋側接続線分１７ａ１と第１の下蓋側接続線分１８ａ１と呼称することもある。第１の側面２ａ１の中央部には、所定の切り抜き、すなわち切り抜き２０ａが明けられている。第１の側面２ａ１には、長方形の４個の頂点近傍から切り抜き２０ａに達する第１〜４の谷折り線２２ａ１、２３ａ１、２４ａ１、２５ａ１が設けられている。ちょうど、第１の谷折り線２２ａ１は左接続線分１５ａ１と上接続線分１７ａ１とを、第２の谷折り線２３ａ１は上接続線分１７ａ１と右接続線分１６ａ１とを、第３の谷折り線２４ａ１は右接続線分１６ａ１と下接続線分１８ａ１とを、第４の谷折り線２５ａ１は下接続線分１８ａ１と左接続線分１５ａ１とを、それぞれ分割するように設けられている。さらに、第１の谷折り線２２ａ１と第３の谷折り線２４ａ１とは同一直線上に設けられ、第２の谷折り線２３ａ１と第４の谷折り線２５ａ１も同一直線上に設けられている。第１の谷折り線２２ａ１と第２の谷折り線２３ａ１のそれぞれの延長線の交点、すなわち点２７ａ１は、切り抜き２０ａ内に位置している。
【００１５】
第１の上蓋面１２ａ１は、二等辺三角形の一部からなり、二等辺三角形の２個の底角近傍が円弧状に切り抜かれ、頂角近傍が直線状に切り落とされた形状を呈している。二等辺三角形の左右の辺の一部をなす左右の２本の縁は、それぞれ、図示されていない第２、４の上蓋面１２ａ２、１２ａ４に谷折り線で接続される接続線分、すなわち、上蓋線分８ａ、８ａになっている。第１〜４の上蓋面１２ａ１、１２ａ２、１２ａ３、１２ａ４が、隣り合う上蓋線分８ａ、８ａが互いに接続されて上蓋体３ａが形成されるとき、上蓋体３ａは、二等辺三角形の頂点すなわち点２８ａを頂点とする正四角錐の、頂点近傍が切り落とされた形状を呈することになる。なお、上蓋体３ａは、正四角錐の頂点がブロック１ａの中心に向かう様に形成されることになる。
【００１６】
第１の下蓋面１３ａ１は、二等辺三角形の一部からなり、二等辺三角形の２個の底角近傍が円弧状に切り抜かれ、頂角近傍が直線状に切り落とされた形状を呈している。二等辺三角形の左右の辺の一部をなす左右の２本の縁は、それぞれ第２、４の下蓋面１３ａ２、１３ａ４に谷折り線で接続される接続線分、すなわち、下蓋線分９ａ、９ａになっている。第１〜４の下蓋面１３ａ１、１３ａ２、１３ａ３、１３ａ４が、隣り合う下蓋線分９ａ、９ａが互いに接続されて下蓋体４ａが形成されるとき、下蓋体４ａは、二等辺三角形の頂点すなわち点２９ａを頂点とする正四角錐の、頂点近傍が切り落とされた形状を呈することになる。なお、下蓋体４ａは、正四角錐の頂点がブロック１ａの中心に向かう様に形成されることになる。
【００１７】
本実施の形態に係るブロック１ａは、後で説明するように実質的に平面状に折り畳むことができる。従って、折り畳めるように、第１〜４の側面２ａ１、２ａ２、…と、上蓋体３ａを構成する第１〜４の上蓋面１２ａ１と、下蓋体４ａを構成する第１〜４の下蓋面１３ａ１と、の間には所定の図形上の条件が成立している。また、ブロック１ａが立体に形成されるときに、所定のテンションが生じて立体構造に強度が与えられるように、他の条件も成立している。このような条件について説明する。まず、条件を説明するにあたり、仮想的な点について定義し、各点について割り当てられる符号について説明する。左右の上蓋線分８ａ、８ａと、第１の上蓋側接続線分１７ａ１のそれぞれの延長線の交点には、それぞれ符号３１ａ１、３２ａ１が与えられ、それぞれの交点は点３１ａ１、点３２ａ１と呼称される。同様に右と左の下蓋線分９ａ、９ａと、第１の下蓋側接続線分１８ａ１のそれぞれの延長線の交点には、それぞれ符号３３ａ１，３４ａ１が与えられ、それぞれの交点は点３３ａ１、点３４ａ１と呼称される。また、第１の谷折り線２２ａ１と左接続線分１５ａ１のそれぞれの延長線の交点には符号３５ａ１が与えられて点３５ａ１と呼称され、第２の谷折り線２３ａ１と右接続線分１６ａ１のそれぞれの延長線の交点には符号３６ａ１が与えられて点３６ａ１と呼称される。右接続線分１６ａ１と第３の谷折り線２４ａ１のそれぞれの延長線の交点には符号３７ａ１が与えられて点３７ａ１と呼称され、第４の谷折り線２５ａ１と左接続線分１５ａ１のそれぞれの延長線の交点には符号３８ａ１が与えられて点３８ａ１と呼称される。このように各点に割り当てられる符号が定義付けられると、第２〜４の側面２ａ２、２ａ３、２ａ４においても同様に各点に割り当てられる符号が一意的に決定される。例えば、第３の側面２ａ３における第１の谷折り線２２ａ３と左接続線分１５ａ３のそれぞれの延長線の交点は点３５ａ３と呼称することができる。
【００１８】
ブロック１ａを平面上に折り畳むことのできる条件は下記の［条件１］〜［条件４］である。［条件１］と［条件２］は第１の平面状シート１１ａ１において記述されているが、他の平面状シート１１ａ２、１１ａ３、…においても同様に成り立つ。
［条件１］点２８ａ、点３１ａ１、点３２ａ１からなる三角形は、点２７ａ１、点３１ａ１、点３２ａ１からなる三角形と合同である。
［条件２］点２９ａ、点３３ａ１、点３４ａ１からなる三角形は、点２７ａ１、点３３ａ１、点３４ａ１からなる三角形と合同である。
任意の隣り合う２面の側面２ａ１、２ａ２、…において、下記の［条件３］と［条件４］が成り立つ。例として、隣り合う第１、２の側面２ａ１、２ａ２において説明するが、他の隣り合う側面２ａ２、２ａ３、…においても同様に成り立つ。
［条件３］第１の側面２ａ１における、点３２ａ１、点３３ａ１、点２７ａ１からなる三角形は、第２の側面２ａ２における、点３１ａ２、点３４ａ２、点２７ａ２からなる三角形と合同である。
［条件４］第１の側面２ａ１における、点３６ａ１、点３７ａ１、点２７ａ１からなる三角形は、第２の側面２ａ２における、点３５ａ２、点３８ａ２、点２７ａ２からなる三角形と合同である。
ブロック１ａが立体に形成されるときに、所定のテンションが生じて立体構造に強度が与えられる条件は下記の［条件５］である。［条件５］は、第１の側面２ａ１に関して記述されているが、他の側面２ａ２、２ａ３、…についても同様に成立する。
［条件５］点３１ａ１、点３４ａ１、点２７ａ１からなる三角形と点３５ａ１、点３８ａ１、点２７ａ１からなる三角形とは非合同である。
【００１９】
本実施の形態に係るブロック１ａの製造方法について説明する。合成樹脂、紙等の可撓性シートを切断して、図３に示されているような所定の形状のシート４１ａを得る。シート４１ａは、第１〜４の平面状シート１１ａ１、１１ａ２、…が互いに接続された形状を呈しており、所定の糊代Ｎ、Ｎ、…が設けられている。なお、隣り合う２面の側面２ａ１、２ａ２、…の接続線分７ａ、７ａは、それぞれの側面の右接続線分と左接続線分でもあり、例えば第１の側面２ａ１の右接続線分１６ａ１と第２の側面２ａ２の左接続線分１５ａ２は、同一の接続線分７ａを構成している。全ての側面２ａ１、２ａ２、…の第１〜４の谷折り線２２ａ１、２２ａ２、…２５ａ３、２５ａ４を谷折りにして折り癖を付ける。接続線分７ａ、７ａ、…と、上接続線分１７ａ１、１７ａ２、…と下接続線分１８ａ１、１８ａ２、…を山折りして、折り癖を付けた後、シート４１ａを環状にして、第１の平面状シート１１ａ１の左接続線分１５ａ１と第４の平面状シート１１ａ４の右接続線分１６ａ４とによって同一の山折り線が形成されるように糊代Ｎを貼り合わせる。次いで、隣り合う任意の２本の上蓋線分８ａ、８ａによって同一の谷折り線が形成されるように糊代Ｎ、Ｎ、…を貼り合わせて上蓋体３ａを形成し、隣り合う任意の２本の下蓋線分９ａ、９ａによって同一の谷折り線が形成されるように糊代Ｎ、Ｎ、…を貼り合わせて下蓋体４ａを形成する。そうすると図１に示されているようなブロック１ａが得られる。
【００２０】
本実施の形態にかかるブロック１ａの作用について説明する。最初にブロック１ａにテンションが生じて立体構造に強度が与えられる理由について説明する。既に説明されているようにブロック１ａの上蓋体３ａと下蓋体４ａは四角錐状を呈している。例えば上蓋体３ａを形成している四角錐の底面の正方形は、点３１ａ１と点３２ａ１とを結ぶ線分、点３１ａ２と点３２ａ２とを結ぶ線分、点３１ａ３と点３２ａ３とを結ぶ線分、点３１ａ４と点３２ａ４とを結ぶ線分とからなる。すなわち正方形の一辺の長さは、点３１ａ１と点３２ａ１とを結ぶ線分の長さに等しい。同様に下蓋体４ａを形成している四角錐の底面の正方形は、点３３ａ１と点３４ａ１とを結ぶ線分、点３３ａ２と点３４ａ２とを結ぶ線分、点３３ａ３と点３４ａ３とを結ぶ線分、点３３ａ４と点３４ａ４とを結ぶ線分とからなる。すなわち正方形の一辺の長さは、点３３ａ１と点３４ａ１とを結ぶ線分の長さに等しい。従って、ブロック１ａ全体は、点３１ａ１と点３２ａ１とを結ぶ線分の長さを一辺とする正方形を上面とし、点３３ａ１と点３４ａ１とを結ぶ線分の長さを一辺とする正方形を底面とする、直方体状を呈するように形成されるはずである。もし、前記した［条件５］に反して、点３１ａ１、点３４ａ１、点２７ａ１からなる三角形と点３５ａ１、点３８ａ１、点２７ａ１からなる三角形が合同になっていて、同様に点３２ａ１、点３３ａ１、点２７ａ１からなる三角形と点３６ａ１、点３７ａ１、点２７ａ１からなる三角形が合同になっていれば、第１〜４の側面２ａ１、２ａ２、…の各側面の幅は、点３１ａ１と点３２ａ１とを結ぶ線分の長さと等しくなるので、第１〜４の側面２ａ１、２ａ２、…は、平板状のまま前記した直方体状の側面を形成することになる。従って、側面２ａ１、２ａ２、…にテンションが生じることはない。しかしながら、実際には［条件５］によって、点３１ａ１、点３４ａ１、点２７ａ１からなる三角形と点３５ａ１、点３８ａ１、点２７ａ１からなる三角形は非合同なので、第１〜４の側面２ａ１、２ａ２、…がブロック１ａの側面を構成するとき側面は平面状に維持されることはなく変形されることになる。この変形によってテンションが生じる。本実施の形態に即して詳しく検討する。本実施の形態に係るブロック１ａにおいては、第１〜４の側面２ａ１、２ａ２、…の横幅は、点３１ａ１と点３２ａ１とを結ぶ線分の長さや、点３３ａ１と点３４ａ１とを結ぶ線分の長さよりも幅広に形成されている。仮に、上蓋体３ａと下蓋体４ａを取り除いて第１〜４の側面２ａ１、２ａ２、…のみから仮想的な直方体を形成すると、前記した直方体よりも横幅が広く形成されることになる。しかしながら、実際には第１〜４の側面２ａ１、２ａ２、…からなる環状体は、上蓋体３ａ、下蓋体４ａに拘束されているので、全体として環状体の横幅が縮むように中心部に向かって変形する。このとき、第１〜４の側面２ａ１、２ａ２、…における第１〜４の谷折り線２２ａ１、２２ａ２、…、２５ａ３、２５ａ４は環状体の変形に応じて折り曲げられる。この変形によって第１〜４の側面２ａ１、２ａ２、…にはテンションが生じる。また、このとき第１〜４の谷折り線２２ａ１、２２ａ２、…、２５ａ３、２５ａ４によって分割された第１〜４の側面２ａ１、２ａ２、…の、それぞれの分割面は、ブロック１ａの外方に向かって凸になるようにわずかに湾曲する。このような湾曲はシートの弾力に抗して生じているので、第１〜４の側面２ａ１、２ａ２、…にはさらにテンションが生じる。従って、ブロック１ａが紙等の比較的柔らかいシートから構成されていても、これらのテンションによって所定の強度が与えられることになる。つまり、ブロック１ａは立体の状態に保持されることになる。ブロック１ａは、立体の状態に保持されているので、単独でも幾何学的な形状を楽しむことができ、室内装飾用のオブジェに適用可能である。そして、所定の強度を有するので、複数個のブロック１ａ、１ａ、…を積み上げて集合体としてのオブジェも作ることができる。さらに、彩色が施されていればオブジェとしての魅力は増す。
【００２１】
次に、このようなブロック１ａを平面状に折り畳む場合について説明する。図４の（ア）に示されているように、ブロック１ａの第３の側面２ａ３を固定した状態で、第１の側面２ａ１に所定の力を与えて、矢印４２、４２の方向に回転する。そうすると、ブロック１ａは図４の（イ）に示されているように捻れて、上蓋体３ａが捻れながら矢印４３、４３で示されているようにわずかに畳み込まれる。同様に下蓋体４ａもわずかに畳み込まれる。この状態になると、上蓋体３ａと下蓋体４ａにも捻れによってテンションが生じる。既に説明した第１〜４の側面２ａ１、２ａ２、…に生じているテンションと、上蓋体３ａと下蓋体４ａに生じるテンションによって、ブロック１ａには捻れを復元する方向に力が働く。従って、第１の側面２ａ１を回転する力を解除すればブロック１ａは速やかに図４の（ア）に示されている状態に戻る。引き続き第１の側面２ａ１を矢印４２、４２の方向に回転する。そうすると図４の（ウ）に示されているように、立体構造のブロックに戻ろうとする復元力が働かない状態になる。さらに、第１の側面２ａ１を矢印４２、４２の方向に回転すると、上蓋体３ａと下蓋体４ａに生じていた捻れは、上蓋体３ａと下蓋体４ａが二つ折りに折り畳まれる方向に付勢する力として働くようになる。そうすると、図４の（エ）に示されているように、ブロック１ａ自らが畳み込まれるようにして、ブロック１ａを折り畳むことができる。すなわち、ブロック１ａは折り畳まれた状態で安定する。このようにして、上蓋体３ａと下蓋体４ａは二つ折りに折り畳まれることになる。また、第２の側面２ａ２と第４の側面２ａ４も、図には詳しくは示されていないが、二つ折りに折り畳まれることになる。具体的には、第２の側面２ａ２は、第１、３の谷折り線２２ａ２、２４ａ２で谷折りされ、第４の側面２ａ４は、第１、３の谷折り線２２ａ４、２４ａ４で谷折りされて二つ折りされる。
【００２２】
ブロック１ａが平面状に折りたためる理由を説明する。ブロック１ａが図４の（エ）のように折り畳まれるとき、第１の側面２ａ１において、上接続線分１７ａ１が折り畳まれ、［条件１］によって点２８ａは点２７ａ１に重ねられる。同様に第１の側面２ａ１において下接続線分１８ａ１が折り畳まれて［条件２］によって点２９ａも点２７ａ１に重ねられる。同様に他の側面２ａ２、２ａ３、２ａ４においても、点２８ａ、２８ａ、２８ａは点２７ａ２、２７ａ３、２７ａ４に重ねられ、点２９ａ、２９ａ、２９ａは、点２７ａ２、２７ａ３、２７ａ４に重ねられることになる。ところで、ブロック１ａが折り畳まれるとき、右接続線分１６ａ１が折り畳まれるので、［条件３］と［条件４］によって、第２の側面２ａ２の点２７ａ２は、第１の側面２ａ１の点２７ａ１に重ねられる。同様に、第３、４の側面２ａ３，２ａ４の点２７ａ３、２７ａ４も点２７ａ１に重ねられることになる。従って、点２８ａ、２９ａ、２７ａ１、２７ａ２、２７ａ３、２７ａ４は一点に重ねられることになるので、ブロック１ａは捻れることなく平面状に折り畳むことができる。
【００２３】
ブロック１ａの各接続辺に所定の磁石を取り付けると、複数個のブロック１ａ、１ａ、…を容易に連結することができる。図５の（ア）には、全ての接続辺の中間位置近傍に小型の環状磁石Ｍ、Ｍ、…が取り付けられた、ブロック１ａ’が記載されている。本実施の形態に係るブロック１ａ’に取り付けられている環状磁石Ｍ、Ｍ、…は、直径約２ｍｍ、長さ約１ｍｍ程度の小型の環状磁石であって、小型でも充分に磁力の強いネオジム磁石、マサコバ磁石等からなる。このような環状磁石Ｍは、図５の（イ）に示されているように、ポリアミド系繊維等の所定の強度を有する繊維からなり所定の長さの取り付け紐４５に通される。そして、ブロック１ａ’の各接続線分の中間位置近傍には、図５の（ウ）に示されているように所定の切り抜き４６が明けられ、環状磁石Ｍが切り抜き４６に収められるように、取り付け紐４５が紐押さえ４８、４８によってブロック１ａ’の接続線分に接着される。環状磁石Ｍは取り付け紐４５を軸にして自在に回転できる。従って、１個のブロック１ａ’の所定の接続線分と、他の１個のブロック１ａ’の所定の接続線分を近づけると、それぞれの接続線分に取り付けられている環状磁石Ｍ、Ｍは回転して、互いに引きつけ合い２個のブロック１ａ’、１ａ’が結合される。ブロック１ａ’の全ての接続線分には環状磁石Ｍ、Ｍ、…が取り付けられているので、任意の方向から他のブロック１ａ’を結合できる。図４の（エ）には、３個のブロック１ａ’、１ａ’、…が磁石によって互いに結合されている様子が示されている。
【００２４】
第２の実施の形態に係るブロック１ｂについて説明する。第２の実施の形態に係るブロック１ｂは、図６に示されているように、全体的に正六角柱状を呈しているが、直方体状を呈している第１の実施の形態に係るブロック１ａとは、上蓋体３ｂと下蓋体４ｂの形状が異なるだけで、概ね第１の実施の形態に係るブロック１ａと同様に構成されている。第２の実施の形態に係るブロック１ｂを説明するにあたり、第１の実施の形態に係るブロック１ａと同様な構成要素には、同じ部材番号に、本実施の形態の連番を表す１文字の英文字「ｂ」を付した符号を用いて表し、詳しい説明は省略する。ブロック１ｂは、中央が長方形に切り抜かれた第１〜４の側面２ｂ１、２ｂ２、２ｂ３、…と、中央が切り抜かれた上面、すなわち上蓋体３ｂと、同様に中央が切り抜かれた底面、すなわち下蓋体４ｂとから構成され、ポリ塩化ビニル、ポリプロピレン、ポリスチレン等の合成樹脂、紙等の可撓性シートからなる。
【００２５】
第２の実施の形態に係るブロック１ｂは、図８に示されているような、シート４１ｂから製造されている。当業者であればシート４１ｂからブロック１ｂの構造を容易に理解することができるので詳しくは説明しないが、上蓋体３ｂと下蓋体４ｂは、頂点近傍が切り取られた正六角錐状に形成されている。このようなシート４１ｂを接続線分７ｂ、７ｂ、…で切断すると共に糊代Ｎを切り取ると、６枚の合同な図形からなるシート、すなわち第１〜６の平面状シート１１ｂ１、１１ｂ２、…が得られる。図７には、第１の平面上シート１１ｂ１が示されている。
【００２６】
第１の平面状シート１１ｂ１においても、第１の実施の形態に係るブロック１ａの第１の平面状シート１１ａ１において定義づけた各接続線分や各点と同様に、接続線分や点を定義することができる。そうすると、第２の実施の形態に係るブロック１ｂにおいても、既に第１の実施の形態に係るブロック１ａにおいて説明されている［条件１］〜［条件５］が同様に成り立っている。例えば、点２８ｂ、点３１ｂ１、点３２ｂ１からなる三角形は、点２７ｂ１、点３１ｂ１、点３２ｂ１からなる三角形と合同であり、点２９ｂ、点３３ｂ１、点３４ｂ１からなる三角形は、点２７ｂ１、点３３ｂ１、点３４ｂ１からなる三角形と合同になっている。また、隣り合う第１、２の側面２ｂ１、２ｂ２において、第１の側面２ｂ１における、点３２ｂ１、点３３ｂ１、点２７ｂ１からなる三角形は、第２の側面２ｂ２における、点３１ｂ２、点３４ｂ２、点２７ｂ２からなる三角形と合同であり、第１の側面２ｂ１における、点３６ｂ１、点３７ｂ１、点２７ｂ１からなる三角形は、第２の側面２ｂ２における、点３５ｂ２、点３８ｂ２、点２７ｂ２からなる三角形と合同になっている。さらに、点３１ｂ１、点３４ｂ１、点２７ｂ１からなる三角形と点３５ｂ１、点３８ｂ１、点２７ｂ１からなる三角形とは非合同になっている。従って、第２の実施の形態に係るブロック１ｂも、立体時には所定のテンションが生じて立体構造に強度が与えられていると共に、平面状に折り畳むことが可能になっている。
【００２７】
ブロック１ｂを折り畳む方法について説明する。図９の（ア）に示されているように、下蓋体４ｂに対して上蓋体３ｂを矢印４４、４４の方向に回転する。そうすると、図９の（イ）に示されているように第１〜６の側面２ｂ１、２ｂ２、…が捩れる。この状態において矢印４５、４５、…で示されているように、上蓋体３ｂを折り畳み、同様に下蓋体４ｂを折り畳む。そうすると、図９の（ウ）に示されているように、上蓋体３ｂと下蓋体４ｂが折り畳まれ、さらに、第２、３、５、６の側面２ｂ２、２ｂ３、２ｂ５、２ｂ６がそれぞれ二つ折りされて、ブロック１ｂは平面状に折り畳まれる。このとき、第１、４の側面２ｂ１、２ｂ４は、平面状に広げられることになる。なお、ブロック１ｂは、図９の（ア）において、矢印４４、４４と反対の方向に上蓋体３ｂを回転させても平面状に折り畳むことができる。
【００２８】
図１０には、第３の実施の形態に係るブロック１ｃが示されている。第３の実施の形態に係るブロック１ｃは、第１、２の実施の形態に係るブロック１ａ、１ｂとは、上蓋体３ｃと下蓋体４ｃの構造が異なっているだけで、他の構造はブロック１ａ、１ｂと同様に構成されている。ブロック１ｃは前記実施の形態に係るブロック１ａ、１ｂとは上蓋体３ｃと下蓋体４ｃの構造が異なっているので、ブロック１ｃが折り畳まれるとき、これらのブロック１ａ、１ｂとは折り畳まれ方が異なることになる。第３の実施の形態に係るブロック１ｃを説明するにあたり、第１の実施の形態に係るブロック１ａと同様な構成要素には、同じ部材番号に、本実施の形態の連番を表す１文字の英文字「ｃ」を付した符号を用いて表し、詳しい説明は省略する。ブロック１ｃは、全体的に正５角柱状を呈しており、第１の実施の形態に係るブロック１ａと同様に、正５角柱の各頂点近傍は切り抜かれている。また、第１〜５の側面２ｃ１、２ｃ２、…は第１の実施の形態に係るブロック１ａと同様に中央に切り抜きが設けられ、第１〜４の谷折り線２２ｃ１、２２ｃ２、…、２５ｃ３、２５ｃ４が折り曲げられてテンションが生じている。しかしながら、ブロック１ｃの上蓋体３ｃと下蓋体４ｃは、第１の実施の形態に係るブロック１ａの上蓋体３ａと下蓋体４ａとは異なっており、平面状に形成されている。
【００２９】
第３の実施の形態に係るブロック１ｃは、図１１に示されているような、シート４１ｃから製造されている。当業者であればシート４１ｃの形状からブロック１ｃの構造を容易に理解することができるので詳しくは説明しないが、上蓋体３ｃと下蓋体４ｃは正５角形に形成され、中心部に切り抜きが明けられている。このような上蓋体３ｃと下蓋体４ｃには谷折り線は設けられていないが、上蓋体３ｃと下蓋体４ｃのそれぞれの正５角形の中心点２８ｃ、２９ｃから正５角形の各頂点とを結ぶ線分で上蓋体３ｃと下蓋体４ｃを分割すると、第１〜５の上蓋面１２ｃ１、１２ｃ２、…、１２ｃ５、第１〜５の下蓋面１３ｃ１、１３ｃ２、…、１３ｃ５に分割できる。第ｉの上蓋面１２ｃｉと第ｉの側面２ｃｉと第ｉの下蓋面１３ｃｉをそれぞれの接続線分で接続すると、図１２に示されているような、平面状シートが得られる。図１２には、第１の平面状シート１１ｃ１が記載されており、他の平面状シート１１ｃ２、１１ｃ３、…も、第１の平面状シート１１ｃ１と合同な図形からなる。
【００３０】
第１の平面状シート１１ｃ１においても、第１の実施の形態に係るブロック１ａの第１の平面状シート１１ａ１において定義づけた各接続線分や各点と同様に、接続線分や点を定義することができる。第３の実施の形態に係るブロック１ｃにおいても、既に第１の実施の形態に係るブロック１ａにおいて説明されている［条件１］〜［条件５］が同様に成り立っている。例えば、点２８ｃ、点３１ｃ１、点３２ｃ１からなる三角形は、点２７ｃ１、点３１ｃ１、点３２ｃ１からなる三角形と合同であり、点２９ｃ、点３３ｃ１、点３４ｃ１からなる三角形は、点２７ｃ１、点３３ｃ１、点３４ｃ１からなる三角形と合同になっている。また、隣り合う第１、２の側面２ｃ１、２ｃ２において、第１の側面２ｃ１における、点３２ｃ１、点３３ｃ１、点２７ｃ１からなる三角形は、第２の側面２ｃ２における、点３１ｃ２、点３４ｃ２、点２７ｃ２からなる三角形と合同であり、第１の側面２ｃ１における、点３６ｃ１、点３７ｃ１、点２７ｃ１からなる三角形は、第２の側面２ｃ２における、点３５ｃ２、点３８ｃ２、点２７ｃ２からなる三角形と合同になっている。さらに、点３１ｃ１、点３４ｃ１、点２７ｃ１からなる三角形と点３５ｃ１、点３８ｃ１、点２７ｃ１からなる三角形とは非合同になっている。従って、第３の実施の形態に係るブロック１ｃも、立体時には所定のテンションが生じて立体構造に強度が与えられていると共に、平面状に折り畳むことが可能になっている。
【００３１】
ブロック１ｃを折り畳む方法について説明する。図１３の（ア）に示されているように、下蓋体４ｃに対して上蓋体３ｃを矢印５１、５１の方向に回転する。そうすると、図１３の（イ）に示されているように第１〜５の側面２ｃ１、２ｃ３、…が均等に捩れる。この状態において矢印５１、５１の回転方向の力を解除すると、第１〜５の側面２ｃ１、２ｃ２、…に生じているテンションによって捩れは復元され、ブロック１ｃは図１３の（ア）に示されている状態に戻る。図１３の（イ）に示されている状態において、さらに矢印５１、５１の方向に回転する。そうすると、図１３の（ウ）に示されているように、第１〜５の側面２ｃ１、２ｃ２、…が折り畳まれて、ブロック１ｃは平面状に折り畳まれる。このとき、上蓋体３ｃと下蓋体４ｃは平面状に維持された状態で折り畳まれることになる。また、全ての側面、すなわち第１〜５の側面２ｃ１、２ｃ２、…は、それぞれの第１の谷折り線２２ｃ１、２２ｃ２、…と第３の谷折り線２４ｃ１、２４ｃ２、…において折り曲げられて、二つ折りされることになる。ブロック１ｃは、図１３の（ア）において、矢印５１、５１と反対の方向に上蓋体３ｃを回転させても平面状に折り畳むことができる。このようにして折り畳まれるとき、第１〜５の側面２ｃ１、２ｃ２、…は、それぞれの第２の谷折り線２３ｃ１、２３ｃ２、…と第４の谷折り線２５ｃ１、２５ｃ２、…において折り曲げられて、二つ折りされることになる。
【００３２】
図１４には、第４の実施の形態に係るブロック１ｄが示されている。第４の実施の形態に係るブロック１ｄは、第３の実施の形態に係るブロック１ｃと同様に、上蓋体３ｄと下蓋体４ｄが平面状に形成されている。従って、ブロック１ｄが平面状に折り畳まれるとき、第３の実施に形態に係るブロック１ｃと同様に上蓋体３ｄと下蓋体４ｄは平面状態が維持されて折り畳まれることになる。第４の実施の形態に係るブロック１ｄについても、第１の実施の形態に係るブロック１ａと同様な構成要素には、同じ部材番号に、本実施の形態の連番を表す１文字の英文字「ｄ」を付した符号を用いて表し、詳しい説明は省略する。第４の実施の形態に係るブロック１ｄは、図１５に示されているような、シート４１ｄから製造されている。シート４１ｄの形状からブロック１ｄの構造を容易に理解できるように、ブロック１ｄは、第３の実施の形態に係るブロック３ｃが変形されたような構造からなる。具体的には、上蓋体３ｄは、各辺の長さが異なる５角形になっており、上蓋体３ｄと下蓋体４ｄとは形状が異なると共に、上蓋体３ｄの方が小さい。従って、ブロック１ｄの、第１〜５の側面２ｄ１、２ｄ２、…からなる環状体は、上蓋体３ｄに向かって径が小さく絞られている。また、上蓋体３ｄは、下蓋体４ｄとは平行ではなく所定の方向に傾いている。
【００３３】
ブロック１ｄにおいては、下蓋体４ｄは正５角形状を呈しているが、上蓋体３ｄは各辺の長さが異なる５角形からなり将棋の駒の上面形状を呈している。このような上蓋体３ｄと下蓋体４ｄには谷折り線は設けられていないが、第１の実施の形態に係るブロック１ａの上蓋体３ａと下蓋体４ａと同様に、［条件１］〜［条件５］が成立するように第１〜５の上蓋面１２ｄ１、１２ｄ２、…と第１〜５の下蓋面１３ｄ１、１３ｄ２、…に分割することができる。すなわち、上蓋体３ｄと下蓋体４ｄの中央部近傍に一意的に所定の点２８ｄ、２９ｄを定める。そして、上蓋体３ｄと下蓋体４ｄを点２８ｄ、２９ｄからそれぞれの５角形の各頂点とを結ぶ線分で分割すると、第１〜５の上蓋面１２ｄ１、１２ｄ２、…、１２ｄ５、第１〜５の下蓋面１３ｄ１、１３ｄ２、…、１３ｄ５に分割することができる。第ｉの上蓋面１２ｄｉと第ｉの側面２ｄｉと第ｉの下蓋面１３ｄｉをそれぞれの接続線分で接続すると、図１６の（ア）〜（オ）に示されているような、第１〜５の平面状シート１１ｄ１、１１ｄ２、…が得られる。
【００３４】
第１〜５の平面状シート１１ｄ１、１１ｄ２、…においても、第１の実施の形態に係るブロック１ａの第１の平面状シート１１ａ１において定義づけた各接続線分や各点と同様に、接続線分や点を定義することができる。このとき、ブロック１ｄにおいて［条件１］〜［条件５］が同様に成り立つ。つまり、１〜５の任意の数字ｉに対して、点２８ｄ、点３１ｄｉ、点３２ｄｉからなる三角形は、点２７ｄｉ、点３１ｄｉ、点３２ｄｉからなる三角形と合同であり、点２９ｄ、点３３ｄｉ、点３４ｄｉからなる三角形は、点２７ｄｉ、点３３ｄｉ、点３４ｄｉからなる三角形と合同になっている。また、隣り合う任意の第ｉ、ｊの側面２ｃｉ、２ｃｊにおいて、第ｉの側面２ｃｉにおける、点３２ｄｉ、点３３ｄｉ、点２７ｄｉからなる三角形は、第ｊの側面２ｄｊにおける、点３１ｄｊ、点３４ｄｊ、点２７ｄｊからなる三角形と合同であり、第ｉの側面２ｄｉにおける、点３６ｄｉ、点３７ｄｉ、点２７ｄｉからなる三角形は、第ｊの側面２ｄｊにおける、点３５ｄｊ、点３８ｄｊ、点２７ｄｊからなる三角形と合同になっている。さらに、第ｉの側面２ｄｉにおいて、点３１ｄｉ、点３４ｄｉ、点２７ｄｉからなる三角形と点３５ｄｉ、点３８ｄｉ、点２７ｄｉからなる三角形とは非合同になっている。従って、第４の実施の形態に係るブロック１ｄも、所定のテンションが生じて、立体構造に強度が与えられていると共に、平面状に折り畳むことが可能になっている。
【００３５】
本発明に係るブロックは、上記実施の形態に限定されることなく色々な形で実施できる。例えば、側面には、中央に所定の切り抜きが明けられているように説明されているが、切り抜きを明ける代わりに２本以上の所定の切り込みが入れられていてもよい。このような切り込みは、それぞれの側面の中央近傍のみに入れられて、側面の縁にまで達しないようにする必要がある。このような切り込みが入れられていても、それぞれの側面は、側面に設けられている第１〜４の谷折り線で折り曲げられると共に、第１〜４の谷折り線で分割される各分割面が湾曲してテンションが生じる。すなわち、立体に強度が与えられる。さらに、本実施の形態に係るブロックにおいては、上蓋体と下蓋体には中央部に切り抜きが明けられているように説明されているが、格別に切り抜きを明けなくても同様に実施することができる。さらには、第２〜４の実施に形態にかかるブロックに環状磁石を設ければ、第１の実施の形態に係るブロックと同様に複数個のブロックを容易に連結できることは明らかである。また、ブロックの表面に描く図柄や彩色については特に説明されてはいないが、複数のブロックを組み合わせたときに全体として１つの図柄が表現されるように各々のブロックに図柄を描いたり、色彩を施しても良い。このようにすると、ブロック遊具としての魅力が増す。
【産業上の利用可能性】
【００３６】
本発明に係るブロックは、室内装飾用のオブジェやブロック遊具に限定されることなく、ランプのシェード、写真を立てかけるフレーム、お菓子等を入れる容器、ペン立て等としても利用することができる。
【符号の説明】
【００３７】
１    ブロック                  ２    側面
３    上蓋体                    ４    下蓋体
７    接続線分
８、９    谷折り線            １１    平面状シート
１２    上蓋面                  １３    下蓋面
１５    左接続線分              １６    右接続線分
１７    上接続線分              １８    下接続線分
２０    切り抜き
２２、２３、２４、２５    谷折り線
【図１】
2011010785.tif 000003
【図２】
2011010785.tif 000004
【図３】
2011010785.tif 000005
【図４】
2011010785.tif 000006
【図５】
2011010785.tif 000007
【図６】
2011010785.tif 000008
【図７】
2011010785.tif 000009
【図８】
2011010785.tif 000010
【図９】
2011010785.tif 000011
【図１０】
2011010785.tif 000012
【図１１】
2011010785.tif 000013
【図１２】
2011010785.tif 000014
【図１３】
2011010785.tif 000015
【図１４】
2011010785.tif 000016
【図１５】
2011010785.tif 000017
【図１６】
2011010785.tif 000018